(57)【要約】  対象体で反射した超音波信号を受信するプローブ（２１０）と、超音波信号に基づき画像情報を生成する処理部（２６０）と、画像情報を表示する液晶ディスプレイ（２７０）とを備え、液晶ディスプレイは、対向配置された一対の基板（１１３、１１４）と一対の基板間に挟持された液晶層（１１５）とを備える液晶パネル（１１０）と、該パネルの光源側と表示面側に其々配置されクロスニコルを形成する一対の偏光板（１１１、１１２）と、遮光層と光透過層が平面方向に交互かつ連続的に配列され光源側の偏光板と光源との間に配置された第１の光学素子（１２０）と、表面散乱機能を有し表示面側の偏光板上に配置された第２の光学素子（１３０）とを備え、光透過方向の軸である遮光層の長軸がクロスニコルまたは第２の光学素子のうちの少なくとも何れか一方に基づいて決まる方向に向けられるよう第１の光学素子が配置される超音波診断装置（２００）が提供される。
2020045374.tif 000002
【特許請求の範囲】
【請求項１】
対象体に超音波信号を照射し、前記対象体で反射された超音波信号を受信するプローブと、
前記反射された超音波信号に基づいて画像情報を生成する処理部と、
前記画像情報を表示する液晶ディスプレイと、を備え、
前記液晶ディスプレイは、
対向して配置された一対の基板と、前記一対の基板間に挟持された液晶層とを備える液晶パネルと、
前記液晶パネルの光源側および表示面側にそれぞれ配置され、クロスニコルを形成する一対の偏光板と、
遮光層と光透過層が平面方向に交互かつ連続的に配列され、前記光源側の偏光板と前記光源との間に配置された第１の光学素子と、
表面散乱機能を有し、前記表示面側の偏光板上に配置された第２の光学素子と、を備え、
光が透過する方向の軸である前記遮光層の長軸が前記クロスニコルまたは前記第２の光学素子のうちの少なくともいずれか一方に基づいて決まる方向に向けられるように前記第１の光学素子が配置される、
超音波診断装置。
【請求項２】
前記遮光層の長軸が、前記クロスニコルにおける２つの偏光軸のうちのいずれか一方に対して傾くように前記第１の光学素子が配置される、
請求項１に記載の超音波診断装置。
【請求項３】
前記遮光層の長軸と、前記クロスニコルにおける２つの偏光軸のうちのいずれか一方とのなす角度が３０°以上かつ６０°以下の範囲に含まれるように前記第１の光学素子が配置される、
請求項２に記載の超音波診断装置。
【請求項４】
前記遮光層の長軸と、光が散乱する方向に対して垂直な軸である前記第２の光学素子の長軸とのなす角度が所定値になるように前記第１の光学素子が配置される、
請求項１に記載の超音波診断装置。
【請求項５】
前記所定値は、０°以上かつ４５°以下の範囲に含まれる、
請求項４に記載の超音波診断装置。
【請求項６】
前記光源側の偏光板および前記第１の光学素子にて、互いに対向するそれぞれの表面上に低反射構造を有する第３の光学素子がさらに配置される、
請求項１に記載の超音波診断装置。
【請求項７】
前記低反射構造は、モスアイ構造である、
請求項６に記載の超音波診断装置。
【請求項８】
前記遮光層における、光の入射面の一部が反射構造を有する、
請求項１に記載の超音波診断装置。
【請求項９】
前記第１の光学素子に向けて光を出射する前記光源をさらに備える、
請求項１に記載の超音波診断装置。
【請求項１０】
対向して配置された一対の基板と、前記一対の基板間に挟持された液晶層とを備える液晶パネルと、
前記液晶パネルの光源側および表示面側にそれぞれ配置され、クロスニコルを形成する一対の偏光板と、
遮光層と光透過層が平面方向に交互かつ連続的に配列され、前記光源側の偏光板と前記光源との間に配置された第１の光学素子と、
表面散乱機能を有し、前記表示面側の偏光板上に配置された第２の光学素子と、を備え、
光が透過する方向の軸である前記遮光層の長軸が前記クロスニコルまたは前記第２の光学素子のうちの少なくともいずれか一方に基づいて決まる方向に向けられるように前記第１の光学素子が配置される、
液晶表示装置。
【請求項１１】
前記遮光層の長軸が、前記クロスニコルにおける２つの偏光軸のうちのいずれか一方に対して傾くように前記第１の光学素子が配置される、
請求項１０に記載の液晶表示装置。
【請求項１２】
前記遮光層の長軸と、前記クロスニコルにおける２つの偏光軸のうちのいずれか一方とのなす角度が３０°以上かつ６０°以下の範囲に含まれるように前記第１の光学素子が配置される、
請求項１１に記載の液晶表示装置。
【請求項１３】
前記遮光層の長軸と、光が散乱する方向に対して垂直な軸である前記第２の光学素子の長軸とのなす角度が所定値になるように前記第１の光学素子が配置される、
請求項１０に記載の液晶表示装置。
【請求項１４】
前記所定値は、０°以上かつ４５°以下の範囲に含まれる、
請求項１３に記載の液晶表示装置。
【請求項１５】
前記光源側の偏光板および前記第１の光学素子にて、互いに対向するそれぞれの表面上に低反射構造を有する第３の光学素子がさらに配置される、
請求項１０に記載の液晶表示装置。
【請求項１６】
前記低反射構造は、モスアイ構造である、
請求項１５に記載の液晶表示装置。
【請求項１７】
前記遮光層における、光の入射面の一部が反射構造を有する、
請求項１０に記載の液晶表示装置。
【請求項１８】
前記第１の光学素子に向けて光を出射する前記光源をさらに備える、
請求項１０に記載の液晶表示装置。
【発明の詳細な説明】
【技術分野】
【０００１】
本開示は、超音波診断装置および液晶表示装置に関する。
【背景技術】
【０００２】
ディスプレイにおけるコントラスト比は、観察対象物を適切に識別するためにも重要な指標である。例えば医療分野にて高いコントラスト比が求められる装置としては、対象体に超音波信号を照射し、対象体で反射された超音波信号に基づいて画像情報を生成する超音波診断装置などが挙げられる。超音波診断装置に限らず、医療分野で使用される画像情報は高いコントラスト比を求められる傾向にある（もちろん、医療分野に限定されない）。高いコントラスト比を実現可能なディスプレイとして、例えば、OLED（Organic  Light-Emitting  Diode）を発光素子として使用する有機EL（Electro-Luminescence）ディスプレイが開発されている。OLEDは自発光素子であるため、有機ELディスプレイはOLEDを非発光にすることによって黒を適切に表現することができ、高いコントラスト比を実現することができる。例えば、超音波診断装置の中には、有機ELディスプレイが用いられているものがある。しかし、有機ELディスプレイの製造コストは比較的高い傾向にある。【０００３】
一方、液晶ディスプレイは、製造コストに関しては有機ELディスプレイよりも安価であるが、液晶分子の配向によりバックライトからの光を遮断することで黒を表現するという構造上、光漏れを完全に防ぐことはできない。したがって、液晶ディスプレイは、コントラスト比に関しては有機ELディスプレイに劣る傾向にある。【０００４】
そこで近年、液晶ディスプレイのコントラスト比を向上させるための技術が盛んに開発されている。例えば、以下の特許文献１には、視野角改善シートおよび微小なルーバーを組み込んだシートを備えることによって視野角およびコントラスト比を向上させることができる技術が開示されている。
【先行技術文献】
【特許文献】
【０００５】
【特許文献１】特開平９−１７９１０７号公報
【発明の概要】
【発明が解決しようとする課題】
【０００６】
しかし、特許文献１に開示の技術などによっては、コントラスト比が十分向上しない場合があった。例えば、ルーバーが、液晶パネルの光源側および表示面側に配置された一対の偏光板によって形成されたクロスニコル、または視野角改善シートに対して適切に配置されないことによってコントラスト比が十分向上しない場合がある。【０００７】
そこで、本開示は、上記に鑑みてなされたものであり、コントラスト比をより適切に向上させることが可能な、新規かつ改良された超音波診断装置および液晶表示装置を提供する。
【課題を解決するための手段】
【０００８】
本開示によれば、対象体に超音波信号を照射し、前記対象体で反射された超音波信号を受信するプローブと、前記反射された超音波信号に基づいて画像情報を生成する処理部と、前記画像情報を表示する液晶ディスプレイと、を備え、前記液晶ディスプレイは、対向して配置された一対の基板と、前記一対の基板間に挟持された液晶層とを備える液晶パネルと、前記液晶パネルの光源側および表示面側にそれぞれ配置され、クロスニコルを形成する一対の偏光板と、遮光層と光透過層が平面方向に交互かつ連続的に配列され、前記光源側の偏光板と前記光源との間に配置された第１の光学素子と、表面散乱機能を有し、前記表示面側の偏光板上に配置された第２の光学素子と、を備え、光が透過する方向の軸である前記遮光層の長軸が前記クロスニコルまたは前記第２の光学素子のうちの少なくともいずれか一方に基づいて決まる方向に向けられるように前記第１の光学素子が配置される、超音波診断装置が提供される。【０００９】
また、本開示によれば、対向して配置された一対の基板と、前記一対の基板間に挟持された液晶層とを備える液晶パネルと、前記液晶パネルの光源側および表示面側にそれぞれ配置され、クロスニコルを形成する一対の偏光板と、遮光層と光透過層が平面方向に交互かつ連続的に配列され、前記光源側の偏光板と前記光源との間に配置された第１の光学素子と、表面散乱機能を有し、前記表示面側の偏光板上に配置された第２の光学素子と、を備え、光が透過する方向の軸である前記遮光層の長軸が前記クロスニコルまたは前記第２の光学素子のうちの少なくともいずれか一方に基づいて決まる方向に向けられるように前記第１の光学素子が配置される、液晶表示装置が提供される。
【発明の効果】
【００１０】
以上説明したように本開示によれば、コントラスト比をより適切に向上させることが可能になる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】液晶表示装置１００全体の構成を示す図である。
【図２】液晶表示装置１００全体の構成を示す図である。
【図３】集光フィルム１２０のイメージ図である。
【図４】視野角制御フィルム１３０のイメージ図である。
【図５】本開示が適用される前における黒輝度の視野角の測定値を示す図である。
【図６】本開示が適用された後における黒輝度の視野角の測定値を示す図である。
【図７】本開示が適用される前後の、方位角４５°（および２２５°）における黒輝度の視野角の測定値を示す図である。
【図８】集光フィルム１２０における遮光層１０の長軸の方位角と、黒輝度およびコントラスト比との関係を示す図である。
【図９】液晶パネル１１０、集光フィルム１２０、および視野角制御フィルム１３０の設置態様のバリエーションを示す図である。
【図１０】液晶パネル１１０、集光フィルム１２０、および視野角制御フィルム１３０の設置態様のバリエーションを示す図である。
【図１１】液晶パネル１１０、集光フィルム１２０、および視野角制御フィルム１３０の設置態様のバリエーションを示す図である。
【図１２】液晶パネル１１０、集光フィルム１２０、および視野角制御フィルム１３０の設置態様のバリエーションを示す図である。
【図１３】液晶パネル１１０、集光フィルム１２０、および視野角制御フィルム１３０の設置態様のバリエーションを示す図である。
【図１４】液晶パネル１１０、集光フィルム１２０、および視野角制御フィルム１３０の設置態様のバリエーションを示す図である。
【図１５】液晶パネル１１０、集光フィルム１２０、および視野角制御フィルム１３０の設置態様のバリエーションを示す図である。
【図１６】液晶パネル１１０、集光フィルム１２０、および視野角制御フィルム１３０の設置態様のバリエーションを示す図である。
【図１７】液晶パネル１１０、集光フィルム１２０、および視野角制御フィルム１３０の設置態様のバリエーションを示す図である。
【図１８】各構成の固定方法について説明するための図である。
【図１９】一部に反射構造を有する集光フィルム１２０の使用について説明するための図である。
【図２０】液晶表示装置１００が超音波診断装置２００に用いられた場合における超音波診断装置２００の構成例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．概要
２．実施形態
２．１．構成
２．２．各構成の配置の詳細
２．３．各構成の固定方法
２．４．一部に反射構造を有する集光フィルム１２０の使用
３．超音波診断装置２００の構成
４．まとめ
【００１５】
＜１．概要＞
まず、本開示の概要について説明する。
【００１６】
液晶ディスプレイについては、液晶パネルの法線方向以外の方向から液晶パネルに入射する光によって、液晶材料の屈折率異方性Δｎと液晶層の厚さｄとの積であるリタデーション（retardation)Δｎ・ｄの値が０より大きくなり、黒輝度が悪化しコントラスト比が悪化する。また、液晶パネルのクロスニコルを形成する一対の偏光板についても、法線方向以外の方向から入射する光に関して視野角依存性が生じるため黒輝度が悪化しコントラスト比が悪化する。
【００１７】
この事象への対応策として、液晶パネルへの入射光を表示面の法線方向（または法線方向に近い方向）に調整する技術の開発が盛んに行われている。当該技術は、光源側で光の伝搬方向を調整する技術と、光源の後段で光の伝搬方向を調整する技術と、に大別される。
【００１８】
前者としては、例えば、エッジライト型の光源に使用される導光板の形状を、液晶パネルの法線方向に平行になるように賦形する技術などが挙げられる。しかし、この技術においては、点光源や線光源と導光板との光学的な位置合わせに高い精度が要求されること、およびディスプレイの輝度分布の調整が困難であることなどによって液晶表示装置の量産性が低い。
【００１９】
後者としては、例えば、上記の特許文献１のように、光源から出射した光をプリズムシートおよび微小なルーバーを組み込んだシートで集光することによって液晶パネルの法線方向に向けて光を伝搬させる技術などが挙げられる。当該技術によっては、液晶パネルの法線方向に向けて光を伝搬させることがより容易に実現され得るため、液晶表示装置の量産性が高い。
【００２０】
しかし、特許文献１に開示の技術などによっては、コントラスト比が十分向上しない場合があった。例えば、ルーバーが、液晶パネルの光源側および表示面側に配置された一対の偏光板によって形成されたクロスニコル、または視野角改善シートに対して適切に配置されないことによってコントラスト比が十分向上しない場合がある。
【００２１】
本件の開示者は、上記事情に鑑みて本件に係る技術を創作するに至った。本開示に係る液晶表示装置は、対向して配置された一対の基板および当該一対の基板間に挟持された液晶層を備える液晶パネルと、液晶パネルの光源側および表示面側にそれぞれ配置されてクロスニコルを形成する一対の偏光板と、遮光層と光透過層が平面方向に交互かつ連続的に配列されて光源側の偏光板と光源との間に配置された集光フィルム（第１の光学素子）と、表面散乱機能を有し表示面側の偏光板上に配置された視野角制御フィルム（第２の光学素子）と、を備えている。
【００２２】
そして、本開示に係る液晶表示装置では、遮光層の長軸がクロスニコルまたは視野角制御フィルムのうちの少なくともいずれか一方に基づいて決まる方向に向けられるように集光フィルムが配置される。より具体的には、遮光層の長軸が、クロスニコルにおける２つの偏光軸のうちのいずれか一方に対して傾くように集光フィルムが配置されるか、または、遮光層の長軸と視野角制御フィルムの長軸とのなす角度が所定値になるように集光フィルムが配置される。
【００２３】
遮光層の長軸がクロスニコルにおける２つの偏光軸のうちのいずれか一方に対して傾くように集光フィルムが配置されることによって、本開示は、高いコントラスト比および高い黒品位を実現することができる。また、遮光層の長軸と視野角制御フィルムの長軸とのなす角度が所定値になるように集光フィルムが配置されることによって、本開示は、高いコントラスト比を実現することができる。以降では、本開示の実施形態について詳細に説明していく。なお、上記の「黒品位」とは、黒輝度の視野角依存性に基づいて決まる、ディスプレイにおける黒の質の高さを指す。黒輝度の視野角依存性が低い（すなわち、黒輝度が視野角によって大きく変化しない）ほど黒品位は高いと言える。
【００２４】
＜２．実施形態＞
続いて、本開示の一実施形態に係る液晶表示装置１００について説明する。ここで、本実施形態に係る液晶表示装置１００は、例えば、高いコントラスト比が求められる超音波診断装置などに用いられ得る。例えば、超音波診断装置の基本モードであるBモード（Brightnessモード）では、白黒の濃淡のみで生体組織の内部構造を表現するため、コントラスト比が重要である。上記のとおり、高いコントラスト比を実現するために超音波診断装置に有機ELディスプレイが搭載されることがあるものの、有機ELディスプレイの製造コストは比較的高い傾向にあるため、超音波診断装置全体の製造コストは高くなる傾向にあった。一方、本実施形態に係る液晶表示装置１００が超音波診断装置に用いられることによって、超音波診断装置全体の製造コストを抑えつつ高いコントラスト比を実現することが可能となる。なお、本実施形態に係る液晶表示装置１００が用いられる対象となる装置およびシステムは特に限定されない。換言すると本開示は、液晶ディスプレイを備える任意の装置およびシステムに適用され得る。
【００２５】
（２．１．構成）
まず、図１および図２を参照して、本実施形態に係る液晶表示装置１００全体の構成について説明する。図１に示すように、液晶表示装置１００は、バックライトユニット１４０と、バックライトユニット１４０から出射された光を、液晶パネル１１０の法線方向（または法線方向に近い方向）に伝搬する光にする集光フィルム１２０と、当該光を用いて映像を表示する液晶パネル１１０と、液晶パネル１１０から出射された光を散乱させることにより視野角を制御する視野角制御フィルム１３０と、を備える。
【００２６】
（バックライトユニット１４０）
バックライトユニット１４０は、図２に示すようにバックライト１４１と、ＤＢＥＦ（Dual  Brightness  Enhancement  Film）１４２と、を備えている。バックライト１４１は、映像の表示に用いられる光を出射する光源として機能する部材である。バックライト１４１を構成する部材は、何らかの光を発光可能な部材であればよく、特に限定されない。例えば、バックライト１４１は、発光ダイオード（ＬＥＤ：Light  Emitting  Diode）や、蛍光管（例えば、ＣＣＬＦ：Cold  Cathode  Fluorescent  Lamp）などによって構成され得る。また、ＤＢＥＦ１４２は、光のリサイクリングにより光の利用効率を向上させることができ、輝度を向上させることができる光学素子である。換言すると、ＤＢＥＦ１４２は、これが用いられない場合と比較して、同一輝度条件で消費電力を下げることができ、バックライト１４１の光量、ＬＥＤの個数や蛍光管の本数などを減らすことができる。なお、本実施形態においては、ＤＢＥＦ１４２が使用される場合を一例として説明するが、必ずしもこれに限定されず、ＤＢＥＦ１４２以外にも光のリサイクリングが可能な光学素子であれば適用され得る。
【００２７】
（集光フィルム１２０）
集光フィルム１２０は、遮光層１０と光透過層１１が平面方向に交互かつ連続的に配列されることで、入射光を液晶パネル１１０の法線方向（または法線方向に近い方向）に伝搬する光にすることができる光学素子（第１の光学素子）である。図３は、集光フィルム１２０のイメージ図である。図３に示すように、集光フィルム１２０においては、光を遮断する遮光層１０と、光を透過する光透過層１１とが、平面方向に交互かつ連続に配列されている。なお、図３に示すように、集光フィルム１２０の平面方向において遮光層１０と光透過層１１との積層方向を「短軸方向」と呼称し、短軸方向に対して垂直な方向を「長軸方向」と呼称する。
【００２８】
集光フィルム１２０は、基本的に液晶パネル１１０とバックライトユニット１４０との間に配置される。そして、液晶パネル１１０の法線方向に伝搬する光、および法線方向に近い方向に伝搬する光は、遮光層１０に吸収されることなく光透過層１１を透過する。一方、法線方向に対して大きく傾いて伝搬する光、および法線方向（または法線方向に近い方向）に伝搬する光のうち遮光層１０の一部に入射する光は、遮光層１０に吸収されてしまい光透過層１１を透過しない。このように、集光フィルム１２０は、遮光層１０と光透過層１１とを備えることによって、入射光を液晶パネル１１０の法線方向（または法線方向に近い方向）に伝搬する光にすることができる。
【００２９】
また、以上の説明に基づいて、遮光層１０の長軸方向は「光が透過する方向」であり、遮光層１０の短軸方向は「光が透過しない方向（光が吸収される方向）」であると言える点に留意されたい。また、遮光層１０は「ルーバー層」または「ルーバー」とも呼称される点に留意されたい。
【００３０】
なお上記のとおり、集光フィルム１２０は、基本的に液晶パネル１１０とバックライトユニット１４０との間に配置されるが、例えばバックライト１４１とＤＢＥＦ１４２との間に配置されてもよい。この構成によってもコントラスト比の改善という効果は得られるが、バックライトユニット１４０における光のリサイクリングの効率が遮光層１０によって低下するため輝度が低下する。したがって、集光フィルム１２０は、液晶パネル１１０とバックライトユニット１４０との間に配置されることがより望ましい。
【００３１】
また、液晶表示装置１００に備えられる集光フィルム１２０の数は特に限定されない。例えば、図２に示すように、２枚の集光フィルム１２０（図中の集光フィルム１２１および集光フィルム１２２）が備えられてもよい。これによって、光の伝搬方向がより厳密に制御されるため、コントラスト比がさらに向上する（なお、集光フィルム１２０の数が増えるほど、遮光層１０による光の損失の影響で輝度がより低くなる）。集光フィルム１２０のより詳細な設置態様については後段にて詳述する。
【００３２】
（液晶パネル１１０）
液晶パネル１１０は、対向して配置された一対の基板と、当該一対の基板間に挟持された液晶層１１５とを備える光学素子である。そして、図２に示すように、液晶パネル１１０は、バックライトユニット１４０側および表示面側にクロスニコルを形成する一対の偏光板（バックライトユニット１４０側の偏光板１１１および表示面側の偏光板１１２）をさらに備えている（図２では、一対の基板および液晶層１１５が便宜的に省略されている）。なお、「クロスニコル」とは、偏光板１１１の偏光軸（偏光方向）と偏光板１１２の偏光軸とが略垂直に位置している状態を指すことに留意されたい。
【００３３】
ここで、本実施形態に係る液晶ディスプレイの表示モードは、例えばＶＡ（Vertical  Alignment）モード、ＩＰＳ（In  Plane  Switching）モード、またはＴＮ（Twisted  Nematic）モードなどであり得るが、これらに限定されない。そして、液晶パネル１１０の構成は、表示モードに応じて柔軟に変更される。例えば、表示モードがＶＡモードである場合、液晶パネル１１０における一対の基板それぞれの配向膜の内側に形成された透明電極（図示せず）に駆動電圧を印加しない非駆動状態では、液晶層１１５中の液晶分子は、基板面に対して略垂直に配向し、その結果液晶パネル１１０を透過する光の偏光状態はほとんど変化しない。換言すると、液晶表示装置１００は、非駆動状態において黒表示を実現する。これに対し、駆動状態では、液晶分子は電極基板面に略平行に傾斜し、液晶パネル１１０を透過する光はかかる傾斜した液晶分子により偏光状態を変化させる。換言すると、液晶表示装置１００は、駆動状態において白表示を実現する。ＶＡモード以外の表示モードについても、各表示モードに応じた液晶分子の配向や駆動処理などが行われる。
【００３４】
（視野角制御フィルム１３０）
視野角制御フィルム１３０は、表面散乱機能を有し、液晶パネル１１０の表示面側の偏光板１１２上に配置される光学素子（第２の光学素子）である。図４は、視野角制御フィルム１３０のイメージ図である。図４に示すように、視野角制御フィルム１３０は、平面方向に一軸以上の連続した凹凸形状で形成される、入射側の光学素子１２および出射側の光学素子１３を備えている。そして、凹凸形状が連続する方向を「短軸方向」と呼称し、短軸方向に対して垂直な方向を「長軸方向」と呼称する。すなわち、視野角制御フィルム１３０の短軸方向は「光が散乱する方向」であり、視野角制御フィルム１３０の長軸方向は「光が散乱しない方向」であると言える点に留意されたい。
【００３５】
視野角制御フィルム１３０は、入射側の光学素子１２および出射側の光学素子１３それぞれの屈折率が互いに異なることで、視野角を適切に制御することができる。例えば、入射側の光学素子１２の屈折率＜出射側の光学素子１３の屈折率という関係が成立する場合、視野角制御フィルム１３０に入射した光は、入射側の光学素子１２および出射側の光学素子１３の界面で、液晶パネル１１０の法線方向から遠ざかる方向に屈折する。換言すると、この場合、視野角制御フィルム１３０の短軸方向に視野角が拡大されることになる（逆に、入射側の光学素子１２の屈折率＞出射側の光学素子１３の屈折率という関係が成立する場合、短軸方向に視野角が縮小されることになる）。このように、視野角制御フィルム１３０は、異なる屈折率を有する光学素子およびその形状によって視野角を適切に制御することができる。これによって、例えば液晶表示装置１００が自動車などに搭載される場合において、視野角制御フィルム１３０によって視野角が適切に制御されることで、映像がフロントガラスなどに映り込むことなどが防止され得る。以降では、入射側の光学素子１２の屈折率＜出射側の光学素子１３の屈折率という関係が成立する場合（換言すると、視野角制御フィルム１３０の短軸方向に視野角が拡大される場合）を一例として説明する。
【００３６】
なお、視野角制御フィルム１３０が備える光学素子の形状は図４に示した形状に限定されない。例えば、当該光学素子は、その一部に曲面を含む形状を有していてもよい。また、視野角制御フィルム１３０は、２次元方向（例えば、方位角０°方向および９０°方向など）に視野角を拡大（または縮小）可能な構成を備えていてもよい。また、上記のとおり、視野角制御フィルム１３０は光を散乱させる機能を有するところ、「散乱」は、屈折、拡散、分散、または発散などに適宜置き換えられてもよい。
【００３７】
（２．２．各構成の配置の詳細）
続いて、上記で説明した各構成の配置の詳細について説明する。まず、図５〜８を参照して、本開示が適用される前後での黒輝度の視野角依存性の違いについて説明する。図５には、本開示が適用される前における黒輝度の視野角の測定値が示されている。より具体的に説明すると、図５には、方位角については０°〜３６０°の範囲、放射角(仰角)については０°〜９０°の範囲でディスプレイの黒輝度が測定された結果が示されている。なお、この例では、クロスニコルの偏光軸は０°と９０°に設定されている。
【００３８】
図５に示すように、方位角４５°、１３５°、２２５°、および３１５°付近で相対的に黒輝度が高いことが分かる（換言すると、これらの方位角付近で光が漏れていることが分かる）。すなわち、本開示が適用される前においては、特に液晶パネル１１０におけるクロスニコルの偏光軸間において相当程度の光が漏れてしまい、黒品位が低くなり易かった。
【００３９】
そこで本実施形態においては、集光フィルム１２０の遮光層１０の長軸が、クロスニコルにおける２つの偏光軸のうちのいずれか一方に対して傾くように集光フィルム１２０が配置される。例えば、遮光層１０の長軸とクロスニコルにおける２つの偏光軸のうちのいずれか一方とのなす角度が４５°になるように１枚の集光フィルム１２１が配置され、さらに遮光層１０の長軸が集光フィルム１２１のものに対して垂直に位置するようにもう１枚の集光フィルム１２２が配置される。図６には、当該構成が適用された後における黒輝度の視野角の測定値が示されている。なお、図６においては、約０．１［cd/m2］以下の測定値が密集して分布しているため、便宜的に測定値が省略されている（併せて図７も参照されたい）。すなわち、当該構成が適用されることで方位角４５°、１３５°、２２５°、および３１５°付近において漏れていた光が集光フィルム１２１および集光フィルム１２２によって吸収される。
【００４０】
図７には、一例として方位角４５°および２２５°における放射角ごとの黒輝度の測定値が示されている（なお図７の例では、方位角２２５°方向の放射角が便宜的に−９０°〜０°で示されている）。図７に示すように、本開示の構成が適用される後においては、本開示の構成が適用される前に比べて、黒輝度が著しく低下しており（特に放射角６０°および−６０°付近にて顕著）、かつ、放射角ごとの黒輝度の差異が小さくなっている。すなわち、遮光層１０の長軸がクロスニコルにおける２つの偏光軸のうちのいずれか一方に対して傾くように集光フィルム１２０が配置されることによって、本開示は、高い黒品位および高いコントラスト比を実現することができる。
【００４１】
また、上記のとおり、本実施形態においては、遮光層１０の長軸（光が透過する方向の軸）と視野角制御フィルム１３０の長軸（光が散乱する方向に対して垂直な軸。換言すると、視野角が拡大されない方向の軸）とのなす角度が所定値になるように集光フィルム１２０が配置される。例えば、所定値が０°に近づくほど、集光フィルム１２０による光を集光する機能と、視野角制御フィルム１３０による光を散乱させる機能との関係性によりコントラスト比が向上する。より具体的には、集光フィルム１２０による集光方向と、視野角制御フィルム１３０による散乱方向が一致するためコントラスト比が向上する。
【００４２】
ここで、図８を参照して、集光フィルム１２０における遮光層１０の長軸の方位角と、黒輝度およびコントラスト比との関係について説明する。図８には、液晶パネル１１０の偏光軸が０°と９０°に設定され、視野角制御フィルム１３０の長軸が９０°に設定された場合における、遮光層１０の長軸の方位角ごとの黒輝度およびコントラスト比が示されている。
【００４３】
図８に示すように黒輝度については、遮光層１０の長軸が約３０°以上かつ約６０°以下の範囲で良好な数値が得られており、方位角の当該範囲が黒品位の高い範囲であると言える（図中では「高黒品位範囲」と表記）。一方コントラスト比については、遮光層１０の長軸が約０°以上かつ約４５°以下の範囲で良好な数値が得られており、方位角の当該範囲がコントラスト比の高い範囲であると言える（図中では「高コントラスト比範囲」と表記）。この結果に基づいて、遮光層１０の長軸の方位角は、求められる品質に応じて柔軟に決定され得る。例えば、高い黒品位および高いコントラスト比の両方が要求される場合には、遮光層１０の長軸の方位角が約３０°以上かつ約４５°以下に設定されてもよいし、高い黒品位よりも高いコントラスト比が要求される場合には、遮光層１０の長軸の方位角が約０°に設定されてもよい。
【００４４】
ここで、図９〜図１７を参照して、液晶パネル１１０、集光フィルム１２０、および視野角制御フィルム１３０の設置態様のバリエーションについて説明する。なお、図９〜図１７に示されている角度は、各構成が有する軸（例えば、集光フィルム１２０における遮光層１０の長軸など）の方位角を指す。
【００４５】
図９〜図１２には、液晶パネル１１０の表示モードがＶＡモードまたはＩＰＳモードである場合における、液晶パネル１１０、集光フィルム１２０、および視野角制御フィルム１３０の設置態様のバリエーションが示されている（なお、ＶＡモードおよびＩＰＳモードについては液晶パネル１１０の偏光軸が方位角０°と９０°であるとする）。
【００４６】
例えば、図９に示すように、液晶パネル１１０の偏光軸が方位角０°と９０°に設定され、視野角制御フィルム１３０の長軸が方位角９０°に設定された場合において、２枚の集光フィルム１２０それぞれの遮光層１０の長軸は、方位角４５°と１３５°に設定されてもよい。２枚の集光フィルム１２０それぞれの遮光層１０の長軸と、２つの偏光軸とのなす角度が４５°であるため、高い黒品位および高いコントラスト比が実現される。また、２枚の集光フィルム１２０それぞれの遮光層１０の長軸と、視野角制御フィルム１３０の長軸とのなす角度が４５°であるという点でも高いコントラスト比が実現される。
【００４７】
また、図１０に示すように、液晶パネル１１０の偏光軸が方位角０°と９０°に設定され、視野角制御フィルム１３０の長軸が方位角９０°に設定された場合において、１枚の集光フィルム１２０の遮光層１０の長軸は、方位角９０°に設定されてもよい。集光フィルム１２０の遮光層１０の長軸と、視野角制御フィルム１３０の長軸とのなす角度が０°であるため、高いコントラスト比が実現される。また、１枚の集光フィルム１２０が用いられることによって、２枚以上の集光フィルム１２０が用いられる場合に比べて高い輝度が実現される。
【００４８】
また、図１１に示すように、液晶パネル１１０の偏光軸が方位角０°と９０°に設定され、２枚の視野角制御フィルム１３０それぞれの長軸が方位角４５°と１３５°に設定された場合において、２枚の集光フィルム１２０それぞれの遮光層１０の長軸は、方位角４５°と１３５°に設定されてもよい。２枚の集光フィルム１２０それぞれの遮光層１０の長軸と、２つの偏光軸とのなす角度が４５°であるため、高い黒品位および高いコントラスト比が実現される。また、２枚の集光フィルム１２０それぞれの遮光層１０の長軸と、２枚の視野角制御フィルム１３０それぞれの長軸とのなす角度が０°であるという点でも高いコントラスト比が実現される。さらに、２枚の視野角制御フィルム１３０によって、２方向（方位角４５°と１３５°）に視野が拡大される。
【００４９】
また、図１２に示すように、液晶パネル１１０の偏光軸が方位角０°と９０°に設定され、２枚の視野角制御フィルム１３０それぞれの長軸が方位角０°と９０°に設定された場合において、２枚の集光フィルム１２０それぞれの遮光層１０の長軸は、方位角４５°と１３５°に設定されてもよい。２枚の集光フィルム１２０それぞれの遮光層１０の長軸と、２つの偏光軸とのなす角度が４５°であるため、高い黒品位および高いコントラスト比が実現される。また、２枚の集光フィルム１２０それぞれの遮光層１０の長軸と、２枚の視野角制御フィルム１３０それぞれの長軸とのなす角度が４５°であるという点でも高いコントラスト比が実現される。さらに、２枚の視野角制御フィルム１３０によって、２方向（方位角０°と９０°）に視野が拡大される。
【００５０】
図１３〜図１５には、液晶パネル１１０の表示モードがＴＮモードである場合における、液晶パネル１１０、集光フィルム１２０、および視野角制御フィルム１３０の設置態様のバリエーションが示されている（なお、ＴＮモードについては液晶パネル１１０の偏光軸が方位角４５°と１３５°であるとする）。
【００５１】
例えば、図１３に示すように、液晶パネル１１０の偏光軸が方位角４５°と１３５°に設定され、視野角制御フィルム１３０の長軸が方位角９０°に設定された場合において、２枚の集光フィルム１２０それぞれの遮光層１０の長軸は、方位角０°と９０°に設定されてもよい。２枚の集光フィルム１２０それぞれの遮光層１０の長軸と、２つの偏光軸とのなす角度が４５°であるため、高い黒品位および高いコントラスト比が実現される。また、一方の集光フィルム１２０における遮光層１０の長軸と、視野角制御フィルム１３０の長軸とのなす角度が０°であるという点でも高いコントラスト比が実現される。
【００５２】
また、図１４に示すように、液晶パネル１１０の偏光軸が方位角４５°と１３５°に設定され、視野角制御フィルム１３０の長軸が方位角９０°に設定された場合において、２枚の集光フィルム１２０それぞれの遮光層１０の長軸は、方位角６０°と１２０°に設定されてもよい。２枚の集光フィルム１２０それぞれの遮光層１０の長軸と、視野角制御フィルム１３０の長軸とのなす角度が３０°であるため、高いコントラスト比が実現される。
【００５３】
また、図１５に示すように、液晶パネル１１０の偏光軸が方位角４５°と１３５°に設定され、視野角制御フィルム１３０の長軸が方位角９０°に設定された場合において、１枚の集光フィルム１２０の遮光層１０の長軸は、方位角９０°に設定されてもよい。集光フィルム１２０の遮光層１０の長軸と、２つの偏光軸とのなす角度が４５°であるため、高い黒品位および高いコントラスト比が実現される。また、集光フィルム１２０の遮光層１０の長軸と、視野角制御フィルム１３０の長軸とのなす角度が０°であるという点でも高いコントラスト比が実現される。また、１枚の集光フィルム１２０が用いられることによって、２枚以上の集光フィルム１２０が用いられる場合に比べて高い輝度が実現される。
【００５４】
図１６および図１７には、０°および９０°以外の特定方向に視野角が広げられる場合における、液晶パネル１１０、集光フィルム１２０、および視野角制御フィルム１３０の設置態様のバリエーションが示されている（なお、表示モードがＶＡモードまたはＩＰＳモードである液晶パネル１１０が用いられる場合を一例として説明するが、これに限定されない）。車載装置、ゲーム機、携帯電話、またはスマートフォンなどに関しては、ユーザがディスプレイを視認する方向に応じて視野角が広げられる方向が決定される。
【００５５】
例えば、図１６に示すように、液晶パネル１１０の偏光軸が方位角０°と９０°に設定され、視野角制御フィルム１３０の長軸が方位角１３５°に設定された場合において、２枚の集光フィルム１２０それぞれの遮光層１０の長軸は、方位角４５°と１３５°に設定されてもよい。視野角制御フィルム１３０の長軸が方位角１３５°に設定されることによって、方位角４５°と２２５°の方向に視野角が広げられる。また、２枚の集光フィルム１２０それぞれの遮光層１０の長軸と、２つの偏光軸とのなす角度が４５°であるため、高い黒品位および高いコントラスト比が実現される。さらに、一方の集光フィルム１２０における遮光層１０の長軸と、視野角制御フィルム１３０の長軸とのなす角度が０°であるという点でも高いコントラスト比が実現される。
【００５６】
また、図１７に示すように、液晶パネル１１０の偏光軸が方位角０°と９０°に設定され、視野角制御フィルム１３０の長軸が方位角１３５°に設定された場合において、２枚の集光フィルム１２０それぞれの遮光層１０の長軸は、方位角１２０°と１５０°に設定されてもよい。視野角制御フィルム１３０の長軸が方位角１３５°に設定されることによって、図１６と同様に、方位角４５°と２２５°の方向に視野角が広げられる。また、２枚の集光フィルム１２０それぞれの遮光層１０の長軸と、いずれか一方の偏光軸とのなす角度が３０°であるため、高い黒品位および高いコントラスト比が実現される。さらに、２枚の集光フィルム１２０それぞれの遮光層１０の長軸と、視野角制御フィルム１３０の長軸とのなす角度が１５°であるという点でも高いコントラスト比が実現される。
【００５７】
なお、液晶パネル１１０、集光フィルム１２０、および視野角制御フィルム１３０の設置態様は、図９〜図１７の例に限定されない。例えば、視野角が広げられる方向は柔軟に変更可能である。また、ＶＡモードおよびＩＰＳモードについては液晶パネル１１０の偏光軸の方位角が０°と９０°であり、ＴＮモードについては液晶パネル１１０の偏光軸の方位角が４５°と１３５°である旨について説明したが、必ずしもこれらの方位角に限定されるものではない。また、集光フィルム１２０や視野角制御フィルム１３０の枚数は特に限定されない。
【００５８】
（２．３．各構成の固定方法）
上記では、各構成の配置の詳細について説明した。続いて、各構成の固定方法について説明する。特に、液晶パネル１１０、集光フィルム１２０およびバックライトユニット１４０の固定方法について説明する。
【００５９】
上記で説明してきたように、本実施形態に係る液晶表示装置１００は集光フィルム１２０を備えるところ、集光フィルム１２０は遮光層１０を有しているため、集光フィルム１２０が用いられることで液晶表示装置１００の輝度は低下する。そこで、液晶パネル１１０（厳密には偏光板１１１）、集光フィルム１２０およびバックライトユニット１４０（厳密にはＤＢＥＦ１４２）はそれぞれ光学的透明部材によって接着（光学的密着）されることがより望ましい。これによって反射面数が減るため、フレネル損失を回避することができる。ここで、光学的透明部材とは、例えばＯＣＡ（Optical  Clear  Adhesive。光学透明糊）などであり得るが、必ずしもこれに限定されない。
【００６０】
しかし、液晶パネル１１０（厳密には偏光板１１１）および集光フィルム１２０間が光学的透明部材によって接着（光学的密着）された場合、この光学的透明部材によってモワレ、遮光層１０見え（ユーザに遮光層１０が見えてしまう現象）、液晶パネル１１０の反り（および液晶パネル１１０の反りに起因するニュートンリング）などが発生し、画質が低下する場合がある。
【００６１】
この場合、図１８に示すように、液晶パネル１１０（厳密には偏光板１１１）および集光フィルム１２０（厳密には集光フィルム１２２）にて、互いに対向するそれぞれの表面上に、モスアイ（moth  eye）構造という低反射構造を向い合せた状態で当該構造を有するフィルムが配置されてもよい。以降、当該フィルムを「モスアイフィルム」（第３の光学素子）と呼称することとし、図１８の例では、集光フィルム１２２の表面上にモスアイフィルム１６０が設けられ、偏光板１１１の表面上にモスアイフィルム１６１が設けられている。モスアイ構造は、可視光波長よりも小さい突起により入射光に対する屈折率を厚み方向に連続的に変化させ、これにより屈折率の不連続界面を消失させて低反射を実現する低反射構造である。したがって、モスアイフィルム１６０およびモスアイフィルム１６１と、空気層１７０との界面での光の反射が極めて小さくなるため、上記の問題の発生が抑制されつつ、接着（光学的密着）が行われた場合と同程度の画質が実現され得る。なお、モスアイフィルムの代りに反射防止機能を有する他の光学素子が用いられてもよい。また、図１８において、集光フィルム１２１とＤＢＥＦ１４２はＯＣＡ１５０によって接着され、集光フィルム１２１と集光フィルム１２２はＯＣＡ１５１によって接着されている。
【００６２】
（２．４．一部に反射構造を有する集光フィルム１２０の使用）
上記では、各構成の固定方法について説明した。続いて、一部に反射構造を有する集光フィルム１２０の使用について説明する。
【００６３】
本実施形態に係る液晶表示装置１００は集光フィルム１２０を備えるところ、集光フィルム１２０の遮光層１０によって光が吸収されるため、光の利用効率が低下する。例えば、図１９のＡに示すように、バックライトユニット１４０から集光フィルム１２０の遮光層１０に入射する光（図中にて（１）で示される光）や、偏光板１１１で反射し遮光層１０に入射する光（図中にて（２）で示される光）は、遮光層１０で吸収されてしまうためディスプレイへの表示に利用されない。
【００６４】
そこで本実施形態において、光の入射面の一部が反射構造を有する遮光層１０ａが用いられてもよい。より具体的には、図１９のＢに示すように、光の入射面（バックライトユニット１４０側と液晶パネル１１０側）の少なくともいずれか一方に反射構造を有する遮光層１０ａが用いられてもよい。例えば、遮光層１０ａにおける光の入射面上に、金属（銀など）や酸化チタンなどを含有する白色インクが塗布されることで、遮光層１０ａの反射構造が実現されてもよい。これによって、バックライトユニット１４０から集光フィルム１２０の遮光層１０ａに入射する光（図中にて（３）で示される光）や、偏光板１１１で反射し遮光層１０ａに入射する光（図中にて（４）で示される光）は、遮光層１０ａの一部で反射されるため、光のリサイクリングにより液晶表示装置１００の輝度が向上する。なお、遮光層１０ａの反射構造の実現方法は上記に限定されない。
【００６５】
＜３．超音波診断装置２００の構成＞
上記では、本開示の一実施形態に係る液晶表示装置１００について説明した。続いて、図２０を参照して、上記で説明してきた液晶表示装置１００が超音波診断装置２００に用いられた場合における超音波診断装置２００の構成について説明する。
【００６６】
図２０に示すように、超音波診断装置２００は、プローブ２１０と、送信回路２２０と、受信回路２３０と、Ｂモード処理回路２４０と、ドプラ処理回路２５０と、処理部２６０と、液晶ディスプレイ２７０と、記憶装置２８０と、を備える。
【００６７】
（プローブ２１０）
プローブ２１０は、対象体に超音波信号を照射し、対象体で反射された超音波信号を受信する構成である。より具体的には、プローブ２１０は複数の超音波振動子を有し、これら複数の超音波振動子は送信回路２２０から供給される駆動信号にもとづいて超音波信号を発生させる。プローブ２１０は、複数の超音波振動子から発生する超音波信号を集束させることでビーム状の超音波信号を対象体の体内へ送信し、さらに、対象体で反射された超音波信号を受信して電気信号に変換する。
【００６８】
（送信回路２２０）
送信回路２２０は、トリガ発生回路、送信遅延回路およびパルサ回路などを有し、プローブ２１０に駆動信号を供給する。パルサ回路は、所定のレート周波数で、超音波信号を形成するためのレートパルスを繰り返し発生する。送信遅延回路は、プローブ２１０から発生される超音波信号をビーム状に集束して送信指向性を決定するために必要な圧電振動子ごとの遅延時間を、パルサ回路が発生する各レートパルスに対し与える。また、トリガ発生回路は、レートパルスにもとづくタイミングで、プローブ２１０に駆動パルス信号を印加する。遅延回路は、各レートパルスに対し与える遅延時間を変化させることで、圧電振動子面からの送信方向を任意に調整する。
【００６９】
（受信回路２３０）
受信回路２３０は、アンプ回路、Ａ／Ｄ変換器、加算器などを有し、プローブ２１０が受信した電気信号を受け、この電気信号に対して各種処理を行なって反射波データを生成する。アンプ回路は、電気信号をチャンネルごとに増幅してゲイン補正処理を行なう。Ａ／Ｄ変換器は、ゲイン補正処理が施された電気信号をＡ／Ｄ変換し、変換後のデジタルデータに対して、受信指向性を決定するのに必要な遅延時間を与える。加算器は、Ａ／Ｄ変換器によって処理された電気信号の加算処理を行なって反射波データを生成する。加算器の加算処理により、電気信号の受信指向性に応じた方向からの反射成分が強調される。
【００７０】
（Ｂモード処理回路２４０）
Ｂモード処理回路２４０は、受信回路２３０から受信した反射波データに対して対数増幅、包絡線検波処理などを行なって、信号強度が輝度の明るさで表現されるデータ（Ｂモードデータ）を生成する。
【００７１】
（ドプラ処理回路２５０）
ドプラ処理回路２５０は、受信回路２３０から受信した反射波データの周波数解析を行い、ドプラ効果による血流や組織、造影剤エコー成分を抽出し、平均速度、分散、パワーなどの移動体情報を多点について抽出したデータ（ドプラデータ）を生成する。
【００７２】
（処理部２６０）
処理部２６０は、対象体で反射された超音波信号に基づいて画像情報（超音波画像情報）を生成する構成である。より具体的には、処理部２６０は、Ｂモード処理回路２４０が生成したＢモードデータから、対象体で反射された超音波信号の強度を輝度にて表したＢモード画像情報を生成する。また、処理部２６０は、ドプラ処理回路２５０が生成したドプラデータから移動体情報を表す平均速度画像、分散画像、パワー画像、または、これらの組み合わせ画像としてのカラードプラ画像情報を生成する。処理部２６０は、生成したこれらの画像情報を液晶ディスプレイ２７０に供給することで、液晶ディスプレイ２７０がこれらの画像情報を表示することを可能にする。なお、処理部２６０によって生成される画像情報は上記に限定されない。また、処理部２６０による処理の内容は上記に限定されない。例えば、処理部２６０は、送信回路２２０を介してプローブ２１０の動作を制御する処理なども行う。
【００７３】
（液晶ディスプレイ２７０）
液晶ディスプレイ２７０は、処理部２６０によって生成された画像情報を表示する構成であり、上記で説明してきた液晶表示装置１００によって実現される。すなわち、液晶ディスプレイ２７０は、対向して配置された一対の基板（基板１１３、基板１１４）および当該一対の基板間に挟持された液晶層１１５を備える液晶パネル１１０と、液晶パネル１１０の光源側および表示面側にそれぞれ配置されてクロスニコルを形成する一対の偏光板（偏光板１１１、偏光板１１２）と、遮光層１０と光透過層１１が平面方向に交互かつ連続的に配列されて光源側の偏光板１１１と光源との間に配置された集光フィルム１２０（第１の光学素子）と、表面散乱機能を有し表示面側の偏光板１１２上に配置された視野角制御フィルム１３０（第２の光学素子）と、を備えている。そして、液晶ディスプレイ２７０において、遮光層１０の長軸がクロスニコルまたは視野角制御フィルム１３０のうちの少なくともいずれか一方に基づいて決まる方向に向けられるように集光フィルム１２０が配置される。より具体的には、遮光層１０の長軸が、クロスニコルにおける２つの偏光軸のうちのいずれか一方に対して傾くように集光フィルム１２０が配置されるか、または、遮光層１０の長軸と視野角制御フィルム１３０の長軸とのなす角度が所定値になるように集光フィルム１２０が配置される。
【００７４】
上記のとおり、従来から超音波診断装置に有機ELディスプレイが用いられてきたところ、図２０のように、液晶表示装置１００によって実現される液晶ディスプレイ２７０が超音波診断装置２００に用いられることによって、超音波診断装置２００全体の製造コストを抑えつつ高いコントラスト比を実現することが可能となる。なお、液晶ディスプレイ２７０は、液晶表示装置１００に備えられる構成以外の構成を備えていてもよい。
【００７５】
（記憶装置２８０）
記憶装置２８０は、各種情報を記憶する構成である。例えば、記憶装置２８０は、処理部２６０によって生成された画像情報を記憶したり、処理部２６０の処理に用いられる各種プログラムや各種パラメータを記憶したりすることができる。なお、記憶装置２８０が記憶する情報はこれらに限定されない。
【００７６】
以上、超音波診断装置２００の構成例について説明した。なお、図２０を参照して説明した上記の構成はあくまで一例であり、超音波診断装置２００の構成は係る例に限定されない。例えば、超音波診断装置２００は、図２０に示す構成の全てを必ずしも備えなくてもよい。また、超音波診断装置２００の構成は、仕様や運用に応じて柔軟に変形可能である。
【００７７】
＜４．まとめ＞
以上で説明してきたように、本開示に係る液晶表示装置１００では、遮光層１０の長軸がクロスニコルまたは視野角制御フィルム１３０のうちの少なくともいずれか一方に基づいて決まる方向に向けられるように集光フィルム１２０が配置される。より具体的には、遮光層１０の長軸が、クロスニコルにおける２つの偏光軸のうちのいずれか一方に対して傾くように集光フィルム１２０が配置されるか、または、遮光層１０の長軸と視野角制御フィルム１３０の長軸とのなす角度が所定値になるように集光フィルム１２０が配置される。
【００７８】
遮光層１０の長軸がクロスニコルにおける２つの偏光軸のうちのいずれか一方に対して傾くように集光フィルム１２０が配置されることによって、本開示は、高いコントラスト比および高い黒品位を実現することができる。また、遮光層１０の長軸と視野角制御フィルム１３０の長軸とのなす角度が所定値になるように集光フィルム１２０が配置されることによって、本開示は、高いコントラスト比を実現することができる。
【００７９】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８１】
なお、以下のような構成も本開示の技術的範囲に属する。
（１）
対象体に超音波信号を照射し、前記対象体で反射された超音波信号を受信するプローブと、
前記反射された超音波信号に基づいて画像情報を生成する処理部と、
前記画像情報を表示する液晶ディスプレイと、を備え、
前記液晶ディスプレイは、
対向して配置された一対の基板と、前記一対の基板間に挟持された液晶層とを備える液晶パネルと、
前記液晶パネルの光源側および表示面側にそれぞれ配置され、クロスニコルを形成する一対の偏光板と、
遮光層と光透過層が平面方向に交互かつ連続的に配列され、前記光源側の偏光板と前記光源との間に配置された第１の光学素子と、
表面散乱機能を有し、前記表示面側の偏光板上に配置された第２の光学素子と、を備え、
光が透過する方向の軸である前記遮光層の長軸が前記クロスニコルまたは前記第２の光学素子のうちの少なくともいずれか一方に基づいて決まる方向に向けられるように前記第１の光学素子が配置される、
超音波診断装置。
（２）
前記遮光層の長軸が、前記クロスニコルにおける２つの偏光軸のうちのいずれか一方に対して傾くように前記第１の光学素子が配置される、
前記（１）に記載の超音波診断装置。
（３）
前記遮光層の長軸と、前記クロスニコルにおける２つの偏光軸のうちのいずれか一方とのなす角度が３０°以上かつ６０°以下の範囲に含まれるように前記第１の光学素子が配置される、
前記（２）に記載の超音波診断装置。
（４）
前記遮光層の長軸と、光が散乱する方向に対して垂直な軸である前記第２の光学素子の長軸とのなす角度が所定値になるように前記第１の光学素子が配置される、
前記（１）から（３）のいずれか１項に記載の超音波診断装置。
（５）
前記所定値は、０°以上かつ４５°以下の範囲に含まれる、
前記（４）に記載の超音波診断装置。
（６）
前記光源側の偏光板および前記第１の光学素子にて、互いに対向するそれぞれの表面上に低反射構造を有する第３の光学素子がさらに配置される、
前記（１）から（５）のいずれか１項に記載の超音波診断装置。
（７）
前記低反射構造は、モスアイ構造である、
前記（６）に記載の超音波診断装置。
（８）
前記遮光層における、光の入射面の一部が反射構造を有する、
前記（１）から（７）のいずれか１項に記載の超音波診断装置。
（９）
前記第１の光学素子に向けて光を出射する前記光源をさらに備える、
前記（１）から（８）のいずれか１項に記載の超音波診断装置。
（１０）
対向して配置された一対の基板と、前記一対の基板間に挟持された液晶層とを備える液晶パネルと、
前記液晶パネルの光源側および表示面側にそれぞれ配置され、クロスニコルを形成する一対の偏光板と、
遮光層と光透過層が平面方向に交互かつ連続的に配列され、前記光源側の偏光板と前記光源との間に配置された第１の光学素子と、
表面散乱機能を有し、前記表示面側の偏光板上に配置された第２の光学素子と、を備え、
光が透過する方向の軸である前記遮光層の長軸が前記クロスニコルまたは前記第２の光学素子のうちの少なくともいずれか一方に基づいて決まる方向に向けられるように前記第１の光学素子が配置される、
液晶表示装置。
（１１）
前記遮光層の長軸が、前記クロスニコルにおける２つの偏光軸のうちのいずれか一方に対して傾くように前記第１の光学素子が配置される、
前記（１０）に記載の液晶表示装置。
（１２）
前記遮光層の長軸と、前記クロスニコルにおける２つの偏光軸のうちのいずれか一方とのなす角度が３０°以上かつ６０°以下の範囲に含まれるように前記第１の光学素子が配置される、
前記（１１）に記載の液晶表示装置。
（１３）
前記遮光層の長軸と、光が散乱する方向に対して垂直な軸である前記第２の光学素子の長軸とのなす角度が所定値になるように前記第１の光学素子が配置される、
前記（１０）から（１２）のいずれか１項に記載の液晶表示装置。
（１４）
前記所定値は、０°以上かつ４５°以下の範囲に含まれる、
前記（１３）に記載の液晶表示装置。
（１５）
前記光源側の偏光板および前記第１の光学素子にて、互いに対向するそれぞれの表面上に低反射構造を有する第３の光学素子がさらに配置される、
前記（１０）から（１４）のいずれか１項に記載の液晶表示装置。
（１６）
前記低反射構造は、モスアイ構造である、
前記（１５）に記載の液晶表示装置。
（１７）
前記遮光層における、光の入射面の一部が反射構造を有する、
前記（１０）から（１６）のいずれか１項に記載の液晶表示装置。
（１８）
前記第１の光学素子に向けて光を出射する前記光源をさらに備える、
前記（１０）から（１７）のいずれか１項に記載の液晶表示装置。
【符号の説明】
【００８２】
１００    液晶表示装置
１１０    液晶パネル
１１１、１１２    偏光板
１１３、１１４    基板
１１５    液晶層
１２０    集光フィルム
１３０    視野角制御フィルム
１４０    バックライトユニット
１４１    バックライト
１４２    ＤＢＥＦ
１５０、１５１    ＯＣＡ
１６０、１６１    モスアイフィルム
１７０    空気層
【図１】
2020045374.tif 000003
【図２】
2020045374.tif 000004
【図３】
2020045374.tif 000005
【図４】
2020045374.tif 000006
【図５】
2020045374.tif 000007
【図６】
2020045374.tif 000008
【図７】
2020045374.tif 000009
【図８】
2020045374.tif 000010
【図９】
2020045374.tif 000011
【図１０】
2020045374.tif 000012
【図１１】
2020045374.tif 000013
【図１２】
2020045374.tif 000014
【図１３】
2020045374.tif 000015
【図１４】
2020045374.tif 000016
【図１５】
2020045374.tif 000017
【図１６】
2020045374.tif 000018
【図１７】
2020045374.tif 000019
【図１８】
2020045374.tif 000020
【図１９】
2020045374.tif 000021
【図２０】
2020045374.tif 000022
【国際調査報告】
2020045374.tif 000023
2020045374.tif 000024
2020045374.tif 000025
2020045374.tif 000026